(57)【特許請求の範囲】
【請求項１】
古紙を離解して再生パルプ懸濁液とし、前記再生パルプ懸濁液から再生紙を抄造する文書細断屑用古紙再生装置の前記再生パルプ懸濁液が流れるパイプ間に取り付けて使用され、再生パルプ懸濁液中の異物を除去するための異物除去器具であって、
前記再生パルプ懸濁液の流れを屈曲させるための入り組んだ屈曲流路を内部に形成する収容体と、前記収容体の一端に設けられ、上流側のパイプが着脱自在に取り付けられる上流パイプ取付け口と、前記収容体の他端に設けられ、下流側のパイプが着脱自在に取り付けられる下流パイプ取付け口と、前記収容体の下方に取り付けられた磁石部材と、
を含み、
前記上流パイプ取付け口及び下流パイプ取付け口が前記収容体の水平方向軸心よりも上側に偏心せしめられ、
前記上流パイプ取付け口の流路と下流パイプ取付け口の流路とを結ぶ延長線の少なくとも一部を横切って邪魔する邪魔板を設けることにより、前記屈曲流路が前記収容体内部に形成されてなることを特徴とする古紙再生装置用異物除去器具。
【請求項２】
前記邪魔板が、上部邪魔板と下部邪魔板とを有し、前記上部邪魔板が、前記収容体内部の屈曲流路のうち、前記上流パイプ取付け口の流路と下流パイプ取付け口の流路とを結ぶ延長線の少なくとも一部を横切って邪魔するように垂設され、
前記下部邪魔板が、前記上部邪魔板によって屈曲された再生パルプ懸濁液の流れをさらに屈曲させるように垂設されてなることを特徴とする請求項１記載の古紙再生装置用異物除去器具。
【請求項３】
前記屈曲流路を通る再生パルプ懸濁液の流れが、側面視Ｗ状となることを特徴とする請求項１又は２記載の古紙再生装置用異物除去器具。
【請求項４】
前記上部邪魔板を、所定間隔を空けて平行に二つ設け、前記下部邪魔板を一つ設け、前記下部邪魔板の延長線が前記二つの上部邪魔板の中間でかつ平行となるように前記下部邪魔板が設けられていることを特徴とする請求項２又は３記載の古紙再生装置用異物除去器具。
【請求項５】
前記上部邪魔板及び前記下部邪魔板の少なくとも一つが着脱自在に前記収容体に取り付けられ、前記屈曲流路を形成することを特徴とする請求項２〜４いずれか１項記載の古紙再生装置用異物除去器具。
【請求項６】
前記収容体に磁気センサを取付け、収容体内に磁性異物が溜まったことを検知するようにしたことを特徴とする請求項１〜５いずれか１項記載の古紙再生装置用磁性除去器具。
【請求項７】
請求項１〜６いずれか１項記載の古紙再生装置用異物除去器具を、前記再生パルプ懸濁液が流れるパイプに取り付けたことを特徴とする文書細断屑用古紙再生装置。
【発明の詳細な説明】
【技術分野】
【０００１】
本発明は、文書細断屑をトイレットペーパーロールに再生するための古紙再生装置に用いられる古紙再生装置用異物除去器具及びそれを用いた文書細断屑用古紙再生装置に関する。
【背景技術】
【０００２】
従来、文書細断屑のリサイクルが充分に図られていないことに鑑み、文書細断屑をトイレットペーパー程度の比較的低い品質の再生紙にリサイクルするのであれば、古紙再生工程の省略化及び装置の小型化・簡略化によって、文書細断屑の再生を企業、官庁、組合、団地或いは地方公共団体等の各組織単位で文書細断屑のリサイクルを可能とし、省資源・省エネルギー化、古紙回収にかかる時間短縮や労力軽減を図るべく、特許文献１に示すような文書細断屑の古紙再生方法が提案されている。
【０００３】
また、本出願人は、上記提案を実用化する上での種々の問題点を解決すべく、特許文献２に示すような文書細断屑用古紙再生装置を提案した。さらに、本出願人は、特願２０１０−２１２０５５に示すような文書細断屑用古紙再生装置も提案している。
【０００４】
上記した文書細断屑用古紙再生装置の場合、文書細断屑に付着したプリンタや複写機のトナーなどの影響により、あまり白くない再生紙が出来上がってしまうという問題があった。
【０００５】
そこで、本出願人は、トナーを磁力吸着せしめるべく、特許文献３に示すような磁力吸着手段を備えた文書細断屑用古紙再生装置を提案した。
【０００６】
しかしながら、特許文献３に示すような磁力吸着手段を備えた文書細断屑用古紙再生装置の場合、クリップ、針金やホッチキスの芯など、比較的重くて大きな異物の場合には、吸着しにくいという問題があった。
【０００７】
また、上記した磁力吸着手段を備えた文書細断屑用古紙再生装置の場合、プラスチックなどの異物に対しては吸着できないという問題もあった。
【０００８】
さらに、上記した磁力吸着手段を備えた文書細断屑用古紙再生装置の場合、磁力吸着手段を外してメンテナンスを行う場合等のメンテナンス性が悪いという問題もあった。
【先行技術文献】
【特許文献】
【０００９】
【特許文献１】特開平１０−３１７２９０
【特許文献２】特開２００６−１６９７１０
【特許文献３】特開２０１１−１９０５５３
【発明の概要】
【発明が解決しようとする課題】
【００１０】
本発明は、上記問題点に鑑みてなされたもので、再生パルプ懸濁液中の異物を効率的に除去し、かつメンテナンス性に優れた古紙再生装置用異物除去器具及びそれを用いた文書細断屑用古紙再生装置を提供することを目的とする。
【課題を解決するための手段】
【００１１】
上記課題を解決するために、本発明の古紙再生装置用異物除去器具は、古紙を離解して再生パルプ懸濁液とし、前記再生パルプ懸濁液から再生紙を抄造する文書細断屑用古紙再生装置の前記再生パルプ懸濁液が流れるパイプ間に取り付けて使用され、再生パルプ懸濁液中の異物を除去するための異物除去器具であって、前記再生パルプ懸濁液の流れを屈曲させるための入り組んだ屈曲流路を内部に形成する収容体と、前記収容体の一端に設けられ、上流側のパイプが着脱自在に取り付けられる上流パイプ取付け口と、前記収容体の他端に設けられ、下流側のパイプが着脱自在に取り付けられる下流パイプ取付け口と、前記収容体の下方に取り付けられた磁石部材と、を含み、前記上流パイプ取付け口及び下流パイプ取付け口が前記収容体の水平方向軸心よりも上側に偏心せしめられ、前記上流パイプ取付け口の流路と下流パイプ取付け口の流路とを結ぶ延長線の少なくとも一部を横切って邪魔する邪魔板を設けることにより、前記屈曲流路が前記収容体内部に形成されてなることを特徴とする。
【００１２】
このように、前記屈曲流路に異物が引っ掛かることで、異物がトラップされるので、再生パルプ懸濁液から異物が除去される。異物が磁性異物の場合には、屈曲流路に引っ掛からないような比較的小さい異物でも前記磁石部材によって吸着されるので、再生パルプ懸濁液から異物が除去される。したがって、異物が磁性異物の場合には、ホッチキスの芯などの比較的小さなものから針金などの比較的大きなものまで、除去することができる。
【００１３】
また、異物が非磁性異物（例えばプラスチックなど）の場合には、前記屈曲流路に異物が引っ掛かることで、異物がトラップされるので、再生パルプ懸濁液から異物が除去される。したがって、異物が非磁性異物の場合には、前記屈曲流路に引っ掛かるような比較的大きなものが特に除去されやすくなる。
【００１４】
また、前記邪魔板が、上部邪魔板と下部邪魔板とを有し、前記上部邪魔板が、前記収容体内部の屈曲流路のうち、前記上流パイプ取付け口の流路と下流パイプ取付け口の流路とを結ぶ延長線の少なくとも一部を横切って邪魔するように垂設され、前記下部邪魔板が、前記上部邪魔板によって屈曲された再生パルプ懸濁液の流れをさらに屈曲させるように垂設されてなるのが好適である。
【００１５】
前記屈曲流路を通る再生パルプ懸濁液の流れが、側面視Ｗ状となるのが好ましい。
【００１６】
前記上部邪魔板を、所定間隔を空けて平行に二つ設け、前記下部邪魔板を一つ設け、前記下部邪魔板の延長線が前記二つの上部邪魔板の中間でかつ平行となるように前記下部邪魔板が設けられるのが好適である。
【００１７】
さらに、前記上部邪魔板及び前記下部邪魔板の少なくとも一つが着脱自在に前記収容体に取り付けられ、前記屈曲流路を形成するのがさらに好ましい。
【００１８】
前記収容体に磁気センサを取付け、収容体内に磁性異物が溜まったことを検知するようにすれば、古紙再生装置用異物除去器具を掃除したりするメンテナンスの時期を知ることができるので、さらに好適である。
【００１９】
本発明の文書細断屑用古紙再生装置は、上記した古紙再生装置用異物除去器具を、再生パルプ懸濁液が流れるパイプに取り付けたことを特徴とする。このように、古紙再生装置用異物除去器具をパイプに取り付けることで、再生パルプ懸濁液中の異物を効率的に除去することができ、かつメンテナンス性に優れるという利点がある。
【発明の効果】
【００２０】
本発明の古紙再生装置用異物除去器具及びそれを用いた古紙再生装置によれば、再生パルプ懸濁液中の異物を効率的に除去し、かつメンテナンス性に優れるという著大な効果を奏する。
【００２１】
本発明の古紙再生装置用異物除去器具及びそれを用いた古紙再生装置によれば、前記屈曲流路に異物が引っ掛かることで、異物がトラップされるので、再生パルプ懸濁液から異物が除去される。また、異物が磁性異物の場合には、屈曲流路に引っ掛からないような比較的小さい異物でも前記磁石部材によって吸着されるので、再生パルプ懸濁液から異物が除去される。
【図面の簡単な説明】
【００２２】
【図１】本発明の古紙再生装置用異物除去器具の一つの実施の形態を示し、（ａ）が正面図、（ｂ）が説明図である。
【図２】図１（ａ）の平面図である。
【図３】図１（ａ）の側面図である。
【図４】図１（ａ）の斜視図である。
【図５】下部邪魔板の一つの実施の形態を示す正面図である。
【図６】天蓋に取り付けられた上部邪魔板の一つの実施の形態を示す正面図である。
【図７】図６の天蓋に取り付けられた上部邪魔板を外した状態の収容体を示す斜視図である。
【図８】本発明の古紙再生装置用異物除去器具の別の実施の形態を示す説明図である。
【発明を実施するための形態】
【００２３】
以下に本発明の実施の形態を説明するが、これら実施の形態は例示的に示されるもので、本発明の技術思想から逸脱しない限り種々の変形が可能なことはいうまでもない。図示例において、同一部材は同一符号で示される。
【００２４】
図において、符号１０は本発明の古紙再生装置用異物除去器具の一つの実施の形態を示す。
【００２５】
古紙再生装置用異物除去器具１０は、図１〜４によく示される如く、古紙を離解して再生パルプ懸濁液とし、前記再生パルプ懸濁液から再生紙を抄造する文書細断屑用古紙再生装置の前記再生パルプ懸濁液が流れるパイプ間に取り付けて使用され、再生パルプ懸濁液中の異物を除去するための異物除去器具であって、前記再生パルプ懸濁液の流れを屈曲させるための入り組んだ屈曲流路１２を内部に形成する収容体１４と、前記収容体１４の一端に設けられ、上流側のパイプ１６が着脱自在に取り付けられる上流パイプ取付け口１８と、前記収容体１４の他端に設けられ、下流側のパイプ２０が着脱自在に取り付けられる下流パイプ取付け口２２と、前記収容体１４の下方に取り付けられた磁石部材２４と、を含んでいる。
【００２６】
また、前記上流パイプ取付け口１８及び下流パイプ取付け口２２は、図２によく示される如く、前記収容体１４の水平方向軸心Ｏよりも上側に偏心せしめられ、前記上流パイプ取付け口１８の流路と下流パイプ取付け口２２の流路とを結ぶ延長線の少なくとも一部を横切って邪魔する邪魔板２６を設けることにより、前記屈曲流路１２が前記収容体１４内部に形成されてなる。
【００２７】
また、前記邪魔板２６は、上部邪魔板２８と下部邪魔板３０とを有し、前記上部邪魔板２８が、前記収容体１４内部の屈曲流路１２のうち、前記上流パイプ取付け口１６の流路と下流パイプ取付け口の流路２０とを結ぶ延長線の少なくとも一部を前記上流パイプ取付け口の流路と下流パイプ取付け口の流路とを結ぶ延長線の少なくとも一部を横切って邪魔するように邪魔板が垂設され、前記下部邪魔板３０が、前記上部邪魔板２８によって屈曲された再生パルプ懸濁液の流れをさらに屈曲させるように垂設されている。
【００２８】
前記屈曲流路１４を通る再生パルプ懸濁液の流れは、図１（ｂ）に示すように側面視Ｗ状とされている。
【００２９】
さらに、前記上部邪魔板２８は、所定間隔を空けて平行に二つ設けられており、前記下部邪魔板３０は一つ設けられており、前記下部邪魔板３０の延長線Ｐが前記二つの上部邪魔板２８の中間でかつ平行となるように前記下部邪魔板３０が設けられている（図１（ｂ）参照）。
【００３０】
また、前記上部邪魔板２８及び前記下部邪魔板３０の少なくとも一つが着脱自在に前記収容体１４に取り付けられ、前記屈曲流路１２を形成することがこのましく、図示例では、図５に示すような下部邪魔板３０が、収容体１４に着脱自在に取り付けられる構成となっている。
【００３１】
図５において、下部邪魔板３０は、下部邪魔板本体３２及び空隙部３４とから構成されている。そして、下部邪魔板３０が収容体１４に取り付けられると、再生パルプ懸濁液は、空隙部３４を通過することとなる。
【００３２】
また、前記収容体１４には、磁気センサ３６が取付けられており、収容体１４内に、ホッチキスの芯、クリップや針金などの磁性異物が溜まったことを検知するように構成されている。磁気センサ３６としては、公知の磁気センサを用いることができ、音やランプで磁性異物が溜まったこと知らせることができる。
【００３３】
図示の例では、上部邪魔板２８は天蓋３８に取り付けられており、前記天蓋３８は、収容体基部４０に装着されて収容体１４を形成する。図７は、天蓋３８に取り付けられた上部邪魔板２８を外した状態の収容体１４を示す。そして、図５に示すような下部邪魔板３０が、収容体１４に着脱自在に取り付けられる構成となっている。
【００３４】
また、本発明では、前記上流パイプ取付け口１８の流路と下流パイプ取付け口２２の流路とを結ぶ延長線の少なくとも一部を横切って邪魔するように邪魔板２６を設ければよく、図８に本発明の古紙再生装置用異物除去器具の別の実施の形態を示す。
【００３５】
図８において、古紙再生装置用異物除去器具４２は、邪魔板４４の配置が、古紙再生装置用異物除去器具１０とは若干異なっている。即ち、上部邪魔板４６と下部邪魔板４８とを有する邪魔板４４のうち、上部邪魔板４６が、前記収容体１４内部の屈曲流路５０のうち、前記上流パイプ取付け口１６の流路と下流パイプ取付け口の流路２０とを結ぶ延長線Ｑの全部を横切って邪魔するように垂設され、前記下部邪魔板４８が、前記上部邪魔板４６によって屈曲された再生パルプ懸濁液の流れをさらに屈曲させるように垂設されており、前記屈曲流路５０を通る再生パルプ懸濁液の流れが、図８に示すような側面視Ｗ状とされている。なお、下部邪魔板４８の構成は、図５に示した下部邪魔板３０と同様である。
【００３６】
このように構成すれば、異物が磁性異物の場合には、前記磁石部材２４によって吸着され、異物が非磁性異物（例えばプラスチックなど）の場合には、前記屈曲流路１２，５０に異物が引っ掛かることで、再生パルプ懸濁液から異物が除去される。したがって、異物が磁性異物の場合には、ホッチキスの芯などの比較的小さなものから針金などの比較的大きなものまで、除去することができる。また、異物が非磁性異物の場合には、前記屈曲流路に引っ掛かるような比較的大きなものが特に除去されやすくなる。
【００３７】
そして、上記した古紙再生装置用異物除去器具１０，４２を、文書細断屑用古紙再生装置の再生パルプ懸濁液が流れるパイプに取り付けることで、再生パルプ懸濁液中の異物を効率的に除去することができ、かつメンテナンス性に優れるという利点がある。
【００３８】
本発明の古紙再生装置用異物除去器具は、特許文献２に開示された文書細断屑用古紙再生装置にも適用できるし、特願２０１０−２１２０５５に示された文書細断屑用古紙再生装置にも適用が可能である。
【００３９】
特許文献２に開示された文書細断屑用古紙再生装置に適用する場合には、特許文献２に開示されたパルパー装置と抄紙機の間のパイプに例えば取り付けたり、第１パルパーと第２パルパーの間に取り付けたりすることができる。また、特願２０１０−２１２０５５に示された文書細断屑用古紙再生装置に適用する場合には、特願２０１０−２１２０５５に示された摩砕機又は濃度調整タンクと抄紙機の間に例えば取り付けたりすることができる。
【００４０】
このように、これらの装置に組み込むことで、再生パルプ懸濁液中の異物を効率的に除去することができ、かつメンテナンス性に優れた文書細断屑用古紙再生装置となる。
【符号の説明】
【００４１】
１０，４２：古紙再生装置用異物除去器具、１２，５０：屈曲流路、１４：収容体、１６：上流側のパイプ、１８：上流パイプ取付け口、２０：下流側のパイプ、２２：下流パイプ取付け口、２４：磁石部材、２６，４４：邪魔板、２８，４６：上部邪魔板、３０，４８：下部邪魔板、３２：下部邪魔板本体、３４：空隙部、３６：磁気センサ、３８：天蓋、４０：収容体基部、Ｏ：水平方向軸心、Ｐ：下部邪魔板の延長線、Ｑ：上流パイプ取付け口の流路と下流パイプ取付け口の流路とを結ぶ延長線。
【図１】
0005727918.tif 000002
【図２】
0005727918.tif 000003
【図３】
0005727918.tif 000004
【図４】
0005727918.tif 000005
【図５】
0005727918.tif 000006
【図６】
0005727918.tif 000007
【図７】
0005727918.tif 000008
【図８】
0005727918.tif 000009